(57)【要約】      （修正有）【課題】携帯電話等の裏面に固定し、あるいはバッグ等の中に常備することで、外出時でも常に携帯することができる防災用携帯具を提供する。【解決手段】ナイロン製のパラシュート生地を折り畳んだシート体１と、折り畳まれたシート体を収納するケース体２とで構成し、スマートフォンＳ等の裏面に接着可能なサイズにケース体を形成する。シート体を矩形状に形成し、シート体を二つ折りして重なった側縁部を固定する止め具３を設け、止め具にて側縁を固定すると、側縁がループ形状となりシート体が頭巾形状になるように構成する。【選択図】図１
0003205248.tif 000002
【実用新案登録請求の範囲】
【請求項１】
パラシュート生地を折り畳んだシート体と、折り畳まれたシート体を収納するケース体とで構成され、該ケース体は、携帯電話又はスマートフォンの裏面に接着可能なサイズに形成されたことを特徴とする防災用携帯具。
【請求項２】
前記シート体はナイロン製で矩形状を成し、該シート体を二つ折りして重なった側縁部の適位置を着脱自在に固定する止め具を備え、該止め具にて重なった側縁が固定されたときに重なった側縁がループ形状を成して前記シート体が頭巾形状になるように構成した請求項１記載の防災用携帯具。
【請求項３】
前記ケース体は、折り畳んだ前記シート体を収納する収納部と、該収納部を施蓋する蓋体とで構成され、厚み６ｍｍ乃至８ｍｍの箱体形状に形成された請求項１記載の防災用携帯具。
【請求項４】
前記ケース体は、両面テープを備え、前記携帯電話又はスマートフォンの裏面に接着するように構成した請求項１又は３記載の防災用携帯具。
【考案の詳細な説明】
【技術分野】
【０００１】
本考案は、主に携帯電話の裏面に固定し、若しくはストラップのように取り付け、あるいはバッグ等の中にコンパクトに常備することができる防災用携帯具に関するものである。
【背景技術】
【０００２】
従来、震災発生時に防災頭巾の代わりに頭部を保護し、平常時に枕、クッション、座布団としての機能を有する防災シートが特許文献１に記載されている。この防災シートは、防炎繊維又は防炎処理を施した布地とした表地と、防炎繊維又は防炎処理を施した繊維の不織布からなる中綿をキルティング加工したものに、防炎繊維又は防炎処理を施した布地の一面にアルミ粉末ゴムをコーティングした布地を裏地とした構造である。
【０００３】
この防災シートは、平常時において収納カバーに収納することで、枕、クッション、座布団として使用する。また一枚シートとして、敷物、炬燵敷、ソファカバーなどとして使用する。
【０００４】
更に、避難時に身体に羽織って熱を遮る防災シートとして、また傷病者を運ぶ担架として、あるいは寝袋、雨合羽として使用する他、平常時は敷物、炬燵敷、ソファカバーとして活用するというものである。
【０００５】
一方、携帯電話に取付ける防災用具が特許文献２に記載されている。この防災用具は、氏名や生年月日、血液型、メールアドレス等の識別データを備えた身飾品を携帯電話や腕時計等に取付けるように構成したものである。
【先行技術文献】
【特許文献】
【０００６】
【特許文献１】特許第３２０５７４７号公報
【特許文献２】実用新案登録第３１９８１０５号公報
【考案の概要】
【考案が解決しようとする課題】
【０００７】
特許文献１のように、従来の防災シートは、平常時に、枕、クッション、座布団として使用し、あるいは、敷物、炬燵敷、ソファカバーなど身の回り用品として活用するものである。そのため、住宅内で利用することは可能でも、外出時に防災シートを携帯することは困難であった。
【０００８】
一方、特許文献２のように、携帯電話器や腕時計に個人の識別データを備えた身飾品を取付けることは可能でも、携帯電話やスマートフォン等に取付けて携帯することが可能な防災具はこれまで提供されていなかった。
【０００９】
そこで、本考案は上述の課題を解消すべく案出されたもので、携帯電話等の裏面に固定し、若しくはストラップのように取り付け、あるいはバッグ等の中にコンパクトに常備することで、外出時でも常に携帯することができる防災用携帯具の提供を目的とするものである。
【課題を解決するための手段】
【００１０】
上述の目的を達成すべく本考案における第１の手段は、パラシュート生地を折り畳んだシート体１と、小さく折り畳まれたシート体１を収納するケース体２とで構成され、該ケース体２は、携帯電話又はスマートフォンＳの裏面に接着可能なサイズに形成したことにある。
【００１１】
第２の手段において、前記シート体１はナイロン製で矩形状を成し、該シート体１を二つ折りして重なった側縁部の適位置を着脱自在に固定する止め具３を備え、該止め具３にて重なった側縁が固定されたときに重なった側縁がループ形状を成して前記シート体１が頭巾形状になるように構成したものである。
【００１２】
第３の手段において、前記ケース体２は、折り畳んだ前記シート体１を収納する収納部と、該収納部を施蓋する蓋体とで構成され、厚み６ｍｍ乃至８ｍｍに形成されたものである。
【００１３】
第４の手段の前記ケース体２は、両面テープを備え、前記携帯電話又はスマートフォンＳの裏面に接着するように構成している。
【考案の効果】
【００１４】
請求項１のごとく、ナイロン製のパラシュート生地を折り畳んだシート体１と、折り畳まれたシート体１を収納するケース体２とで構成され、該ケース体２は、携帯電話又はスマートフォンＳの裏面に接着可能なサイズに形成されているので、小さく折り畳んだシート体１をケース体２ごと携帯電話の裏面に固定し、若しくはストラップのように取り付け、あるいはバッグ等の中にコンパクトに常備することが可能になる。この結果、外出時でも常に防災用のシートを身辺に携帯することができる。
【００１５】
しかも、パラシュート生地で形成したシート体１は、極めて強靭で小さく折り畳んでも生地同士がくっついたりしないので、ケース体２から取り出すと、すぐに広げることができ、雨除け、雪よけ、防寒具、日除け、寝袋、敷物シート、水汲み袋、火山除け、応急止血帯、三角巾、包袋、運搬用バッグ等として使用することができる。
【００１６】
請求項２のように、シート体１はナイロン製で矩形状を成し、該シート体１を二つ折りして重なった側縁部の適位置を着脱自在に固定する止め具３を備え、該止め具３にて重なった側縁が固定されたときにシート体１が頭巾形状になるように構成しているので、使用時には、シート体１を頭に被って強靭な雨よけや雪よけ、日よけ等として使用することができる。しかも、ナイロン製のパラシュート生地は、気密性や保温性があると共に、何回も再利用することが可能である。
【００１７】
請求項３のように、ケース体２は、折り畳んだ前記シート体１を収納する収納部と、該収納部を施蓋する蓋体とで構成され、厚み６ｍｍ乃至８ｍｍに形成されているので、ケース体２の厚みは、スマートフォンＳの一般的な厚みと同程度の厚みになる。したがって、ケース体２ごとスマートフォンＳを保持した場合でも、違和感なく保持することができる。
【００１８】
請求項４のように、ケース体２は、両面テープを備え、前記携帯電話又はスマートフォンＳの裏面に接着されるように構成しているので、ケース体２を携帯電話又はスマートフォンＳの裏面に簡単に接着することができる。
【００１９】
このように本考案によると、携帯電話の裏面に固定し、若しくはストラップのように取り付け、あるいはバッグ等の中にコンパクトに常備して携帯することができるといった当初の目的を達成することができる。
【図面の簡単な説明】
【００２０】
【図１】本考案の一実施例を示す斜視図である。
【図２】本考案のシート体を展開した状態の平面図である。
【図３】本考案のケース体を展開した状態の平面図である。
【図４】本考案のケース体を展開した状態の端面図である。
【図５】本考案のケース体をスマートフォンに接着した状態の側面図である。
【図６】本考案シート体の使用例を示す斜視図である。
【考案を実施するための形態】
【００２１】
以下、本考案の実施例を説明する。本考案の主な構成は、シート体１とケース体２とを備えたものである（図２参照）。シート体１は、極めて強靭で小さく折り畳んでも生地同士がくっついたりしないナイロン製のパラシュート生地を矩形状にしたものである。
【００２２】
そして、矩形状のシート体１を二つ折りして重なった側縁部の適位置を着脱自在に固定する止め具３を備えている（図１参照）。図示の止め具３は紐３Ａの両端部にホック３Ｂを設けたもので、ホック３Ｂ相互を嵌合してシート体１の重なった側縁部の適位置を止着して使用する。
【００２３】
例えば、ループ状に重なった側縁を止め具３にて固定すると、頭に被る頭巾として使用できるものである（図６参照）。また、この止め具３の止着位置は任意に選択できるので、様々な用途に使用することができる。
【００２４】
一方、ケース体２は、折り畳まれたシート体１を収納する箱状の部材である（図３参照）。このケース体２は、特に、携帯電話又はスマートフォンＳの裏面に接着できるサイズに形成されている（図１参照）。
【００２５】
図示のケース体２は、折り畳んだシート体１を収納する収納部２Ａと、該収納部２Ａを施蓋する蓋体２Ｂとがヒンジ部２Ｃを介して連設されている（図３参照）。そして、収納部２Ａと蓋体２Ｂとを嵌合して箱体形状にしたときに、ケース体２の厚みが６ｍｍ乃至８ｍｍになるように形成している。この厚みは、スマートフォンＳの一般的な厚みであると共に、ブック型ケースの厚みとも略同じ厚みになる。
【００２６】
すなわち、スマートフォンＳの裏面側に固定して表面側に蓋体を重合自在に設けられたブック型ケースの厚みは、スマートフォンＳの厚みと同様に６ｍｍ乃至８ｍｍ程度であるから、本考案ケース体２の厚みもスマートフォンＳの一般的な厚みと略同じ厚みになっている（図５参照）。したがって、シート体１を収納したケース体２ごとスマートフォンＳを持った場合でも、あまり違和感なく持つことができる。更に、ケース体２にストラップ用孔５を設けることで、ストラップ（図示せず）を付けてケース体２を携帯することも可能になる（図３参照）。
【００２７】
更に、ケース体２の周囲に係合部２Ｄを形成している（図３参照）。この係合部２Ｄは、係合凸部２Ｄａと係合凹部２Ｄｂとを係合することで、蓋体２Ｂの施蓋状態を保持する部位である。図示の係合部２Ｄは、ヒンジ部２Ｃを除く周囲縁に沿って設けている。
【００２８】
更に、これらの係合凸部２Ｄａと係合凹部２Ｄｂは、一つの側縁部ごとにそれぞれ一対形成することで、係合部２Ｄの係合力を高めている（図４参照）。このように係合部２Ｄを構成することで、日常の使用で生じる衝撃や振動では簡単に蓋体２Ｂが開かないようになる。
【００２９】
更に、ケース体２の裏面に両面接着テープ４を装着し、該両面接着テープ４にて、携帯電話又はスマートフォンＳの裏面にケース体２を接着するように構成することも可能である（図５参照）。
【００３０】
尚、本考案において図示例に限定されるものではなく、本考案の要旨を変更しない範囲で設計変更は自由に行える。また本考案の使用例も限定されるものではない。
【符号の説明】
【００３１】
Ｓ  スマートフォン
１  シート体
２  ケース体
２Ａ  収納部
２Ｂ  蓋体
２Ｃ  ヒンジ部
２Ｄ  係合部
２Ｄａ  係合凸部
２Ｄｂ  係合凹部
３  止め具
４  両面接着テープ
５  ストラップ用孔
【図１】
0003205248.tif 000003
【図２】
0003205248.tif 000004
【図３】
0003205248.tif 000005
【図４】
0003205248.tif 000006
【図５】
0003205248.tif 000007
【図６】
0003205248.tif 000008